(57)【要約】【課題】自動的な光ファイバ伝送路測定を可能にして、保守効率の向上を図る。【解決手段】送信部１ａは、光ファイバ伝送路の測定に使用する測定用パケットを生成し、光ファイバ伝送路を介して対向装置３へ送信する。受信部１ｂは、光ファイバ伝送路を介して対向装置３から折り返し戻ってきた測定用パケットを検出する。計測部１ｃは、測定用パケットの生成から検出するまでに要する時間であるパケット伝送時間を計測する。測定部１ｄは、パケット伝送時間にもとづいて、少なくとも光ファイバ伝送路の長さに関する、光ファイバ伝送路の測定制御を行う。折り返し部３ａは、測定用パケットを測定装置１０へ折り返し出力する。【選択図】図１
2010101670.tif 000002
【特許請求の範囲】
【請求項１】
対向装置と光ファイバ伝送路で接続された光ファイバ伝送路測定装置において、
前記光ファイバ伝送路の測定に使用する測定用パケットを生成して、前記光ファイバ伝送路を介して前記対向装置へ送信する送信部と、
前記光ファイバ伝送路を介して前記対向装置から折り返し戻ってきた前記測定用パケットを検出する受信部と、
前記測定用パケットの生成から検出するまでに要する時間であるパケット伝送時間を計測する計測部と、
前記パケット伝送時間にもとづいて、少なくとも前記光ファイバ伝送路の長さに関する、前記光ファイバ伝送路の測定制御を行う測定部と、
を有することを特徴とする光ファイバ伝送路測定装置。
【請求項２】
前記送信部は、
前記測定用パケットを生成する測定用パケット生成部と、
監視制御信号に前記測定用パケットを挿入してパケット挿入信号を生成する挿入部と、
前記パケット挿入信号の電気／光変換を行って、光監視制御信号を生成する電気／光変換部と、
光主信号に前記光監視制御信号を多重化して光多重化信号を生成し、下り光ファイバを介して、前記対向装置へ送信する合波部と、
を有し、
前記受信部は、
上り光ファイバを介して、前記対向装置から送信された前記光多重化信号を受信して、前記光主信号と前記光監視制御信号とを分波する分波部と、
前記光監視制御信号の光／電気変換を行って、前記パケット挿入信号を再生する光／電気変換部と、
再生した前記パケット挿入信号から、前記対向装置から折り返し戻ってきた前記測定用パケットを検出する測定用パケット検出部と、
を有することを特徴とする請求項１記載の光ファイバ伝送路測定装置。
【請求項３】
前記上り光ファイバを通じて伝送される前記光多重化信号の分散補償を行う分散補償ファイバをさらに有し、
前記測定部には、
前記測定用パケットを生成してから前記下り光ファイバへ出力するまでに要する処理時間と、前記上り光ファイバを流れてきた前記測定用パケットを受信してから前記測定用パケットを検出するまでに要する処理時間と、の総和であるパケット処理時間と、
前記対向装置で前記測定用パケットが受信されて折り返し出力されるまでに要する時間である折り返し時間と、
前記分散補償ファイバの長さ情報とが記憶されており、
前記パケット伝送時間をＴtotal、前記パケット処理時間をＴ１、前記折り返し時間をＴ２、前記光ファイバ伝送路中の光速度をＶとした際に、
前記分散補償ファイバが前記分波部の出力段に配置して、前記測定用パケットが前記分散補償ファイバを通過しない場合は、前記下り光ファイバおよび前記上り光ファイバの両方の長さである光ファイバ往復長Ｌfiberを、
Ｌfiber＝（Ｔtotal−（Ｔ１＋Ｔ２））×Ｖ
で算出し、
前記分散補償ファイバが前記分波部の入力段に配置して、前記測定用パケットが前記分散補償ファイバを通過する場合は、前記長さ情報をＬdとした際に、前記下り光ファイバおよび前記上り光ファイバの両方の長さである光ファイバ往復長Ｌfiberを、
Ｌfiber＝（Ｔtotal−（Ｔ１＋Ｔ２））×Ｖ−Ｌd
で算出することを特徴とする請求項２記載の光ファイバ伝送路測定装置。
【請求項４】
光ファイバ伝送路の測定を行う光ファイバ伝送路測定システムにおいて、
測定装置と対向装置とが前記光伝送路で接続し、
前記測定装置は、
前記光ファイバ伝送路の測定に使用する測定用パケットを生成して、前記光ファイバ伝送路を介して前記対向装置へ送信する送信部と、
前記光ファイバ伝送路を介して前記対向装置から折り返し戻ってきた前記測定用パケットを検出する受信部と、
前記測定用パケットの生成から検出するまでに要する時間であるパケット伝送時間を計測する計測部と、
前記パケット伝送時間にもとづいて、少なくとも前記光ファイバ伝送路の長さに関する、前記光ファイバ伝送路の測定制御を行う測定部と、
を有し、
前記対向装置は、前記測定用パケットを前記測定装置へ折り返し出力する折り返し部を有する、
ことを特徴とする光ファイバ伝送路測定システム。
【請求項５】
前記送信部は、
前記測定用パケットを生成する測定用パケット生成部と、
監視制御信号に前記測定用パケットを挿入してパケット挿入信号を生成する挿入部と、
前記パケット挿入信号の電気／光変換を行って、光監視制御信号を生成する電気／光変換部と、
光主信号に前記光監視制御信号を多重化して光多重化信号を生成し、下り光ファイバを介して、前記対向装置へ送信する合波部と、
を有し、
前記受信部は、
上り光ファイバを介して、前記対向装置から送信された前記光多重化信号を受信して、前記光主信号と前記光監視制御信号とを分波する分波部と、
前記光監視制御信号の光／電気変換を行って、前記パケット挿入信号を再生する光／電気変換部と、
再生した前記パケット挿入信号から、前記対向装置から折り返し戻ってきた前記測定用パケットを検出する測定用パケット検出部と、
を有することを特徴とする請求項４記載の光ファイバ伝送路測定システム。
【請求項６】
前記測定装置は、前記上り光ファイバを通じて伝送される前記光多重化信号の分散補償を行う分散補償ファイバをさらに有し、
前記測定部は、
前記測定用パケットを生成してから前記下り光ファイバへ出力するまでに要する処理時間と、前記上り光ファイバを流れてきた前記測定用パケットを受信してから前記測定用パケットを検出するまでに要する処理時間と、の総和であるパケット処理時間をあらかじめ登録し、
前記対向装置で前記測定用パケットが受信されて折り返し出力されるまでに要する時間である折り返し時間をあらかじめ登録し、
前記分散補償ファイバの長さ情報をあらかじめ登録し、
前記パケット伝送時間をＴtotal、前記パケット処理時間をＴ１、前記折り返し時間をＴ２、前記光ファイバ伝送路中の光速度をＶとした際に、
前記分散補償ファイバが前記分波部の出力段に配置して、前記測定用パケットが前記分散補償ファイバを通過しない場合は、前記下り光ファイバおよび前記上り光ファイバの両方の長さである光ファイバ往復長Ｌfiberを、
Ｌfiber＝（Ｔtotal−（Ｔ１＋Ｔ２））×Ｖ
で算出し、
前記分散補償ファイバが前記分波部の入力段に配置して、前記測定用パケットが前記分散補償ファイバを通過する場合は、前記長さ情報をＬdとした際に、前記下り光ファイバおよび前記上り光ファイバの両方の長さである光ファイバ往復長Ｌfiberを、
Ｌfiber＝（Ｔtotal−（Ｔ１＋Ｔ２））×Ｖ−Ｌd
で算出することを特徴とする請求項５記載の光ファイバ伝送路測定システム。
【請求項７】
前記測定装置は、前記電気／光変換部で生成された前記光監視制御信号を２分岐する測定側カプラと、前記上り光ファイバの入力端に配置する測定側光スイッチとをさらに有し、
前記対向装置は、前記上り光ファイバの出力端に配置する対向側光スイッチと、前記下り光ファイバを介して前記対向装置へ流れてきた第１の測定用パケットおよび前記上り光ファイバを介して流れてきた第２の測定用パケットの到着時間差を検出する到着時間差検出部とをさらに有し、
前記測定側光スイッチが前記対向装置から送信された信号を受信する受信状態にスイッチングし、かつ前記対向側光スイッチが前記測定装置へ信号を送信する送信状態にスイッチングした、通常運用時のスイッチ状態の場合に、
前記測定部は、前記光ファイバ往復長Ｌfiberを求め、
前記測定側光スイッチが前記対向装置へ信号を送信する送信状態にスイッチングし、かつ前記対向側光スイッチが前記測定装置から送信された信号を受信する受信状態にスイッチングした、測定用パケット到着時間差検出時のスイッチ状態の場合に、
前記測定装置は、前記測定側カプラで分岐した一方の第１の光監視制御信号を、前記下り光ファイバを通じて前記対向装置へ送信し、前記測定側カプラで分岐した他方の第２の光監視制御信号を、前記測定側光スイッチを介して前記上り光ファイバを通じて前記対向装置へ送信し、
前記到着時間差検出部は、前記第１の光監視制御信号に含まれる前記第１の測定用パケットと、前記第２の光監視制御信号に含まれる前記第２の測定用パケットとの到着時間差ΔＴと、先着した光ファイバルートとを検出し、
前記測定部は、前記上り光ファイバと前記下り光ファイバとの距離差をΔＬとした際に、前記下り光ファイバの長さＬａおよび前記上り光ファイバの長さＬｂを、
ΔＬ＝ΔＴ×Ｖ＝Ｌａ−Ｌｂ（Ｌａ＞Ｌｂ）＝Ｌｂ−Ｌａ（Ｌｂ＞Ｌａ）
Ｌfiber＝Ｌａ＋Ｌｂ
で算出することを特徴とする請求項６記載の光ファイバ伝送路測定システム。
【請求項８】
前記測定部は、
前記上り光ファイバと前記下り光ファイバの光ファイバ種別毎の平均分散量をあらかじめ登録しておき、
前記平均分散量をｄfiberとした際に、前記上り光ファイバと前記下り光ファイバそれぞれの分散量Ｄを、
Ｄ＝Ｌfiber×ｄfiber／２
で算出し、
または、前記下り光ファイバの分散量Ｄａおよび前記上り光ファイバの分散量Ｄｂを
Ｄａ＝Ｌａ×ｄfiber、Ｄｂ＝Ｌｂ×ｄfiber
で算出することを特徴とする請求項７記載の光ファイバ伝送路測定システム。
【発明の詳細な説明】
【技術分野】
【０００１】
本発明は、光ファイバ伝送路の測定を行う光ファイバ伝送路測定装置および光ファイバ伝送路の測定を行う光ファイバ伝送路測定システムに関する。
【背景技術】
【０００２】
近年、一般家庭においても光ファイバによるネットワーク接続、携帯電話などの普及により光ネットワーク網の容量増加が求められている。また、基幹網においては、１波当りの伝送容量が４０Ｇｂｐｓ／１００Ｇｂｐｓと高速化、大容量化している。
【０００３】
一方、光ファイバにおける伝送速度は、光の波長毎に異なるため、伝送距離が伸びるにつれ、光のパルス波形が鈍る波長分散が生じる。大容量・長距離の光伝送を実現するＷＤＭ（Wavelength Division Multiplex）システムなどで、波長分散によるパルス広がりが生じると、受信レベルを著しく劣化させてシステムに有害な影響を及ぼすことになる。このため、光ファイバ伝送路で生じた分散を抑制するために、波長分散を等価的にゼロに（キャンセル）する分散補償が行われる。
【０００４】
分散補償に関わる属性には、局間のファイバの長さ、分散量、分散スロープなどがあるが、光通信ネットワークを構築する際には、分散補償がなされる上でこれら各属性値がネットワークデザイン通りの条件を満たしていることが必要である。
【０００５】
また、光伝送装置のフィールド敷設時や保守時には、局間のファイバの長さ、分散量、分散スロープといった複数の属性値を、任意に測定してモニタできることが必要である。
従来の光ファイバ伝送路の測定技術として、監視装置から信号を送信し、ループバックされた信号の遅延時間を測定して、光ファイバ長を測定する技術が提案されている（特許文献１）。
【特許文献１】特開平５−２２３２３号公報（段落番号〔０００７〕〜〔００１０〕，第１図）
【発明の開示】
【発明が解決しようとする課題】
【０００６】
光ファイバの長さや分散量の測定を行う場合、ＯＴＤＲ（Optical Time Domain Reflectometer）測定器が一般的に使用されている。
図２０はＯＴＤＲを利用した測定系を示す図である。測定したい光ファイバＦの一端にＯＴＤＲ１００が配置される。ＯＴＤＲ１００は、光ファイバＦに向けて試験光パルスを送出し、反射端からの戻り光の時間や強度などを測定する。
【０００７】
ＯＴＤＲの測定原理は、基本的に反射を利用するものなので、従来のＯＴＤＲを使用した光ファイバの測定では、光ファイバが長距離に渡る場合（例えば、１００ｋｍを超える場合）、または光ファイバ中の光損失が大きい場合などでは、遠端からの反射光が弱く、正確な測定が困難になるといった問題があった。
【０００８】
また、ＯＴＤＲを使用する測定では、システムを一旦止める必要があった。図２１はシステムの運用停止が必要となることを説明するための図である。光伝送装置１０１〜１０４が光ファイバでリング状に接続されている。
【０００９】
このようなシステムで、光伝送装置１０３と光伝送装置１０４とをつなぐ光ファイバＦ１の長さを、ＯＴＤＲを用いて測定しようとすると、例えば、光伝送装置１０４にＯＴＤＲ１００を設置し、光伝送装置１０３に接続する光ファイバＦ１を解放することで（光コネクタを外して）反射端を生成する必要がある。このようにＯＴＤＲのような光測定器を使用する場合は、システムの運用を停止しなければならず、保守効率が悪いといった問題があった。
【００１０】
さらに、従来の光ファイバ伝送路測定は、自動化されていないために、測定したい箇所において、ＯＴＤＲ等の光測定器の接続や設定などをマニュアル操作で逐一行うことになり、保守性だけでなく利便性にも欠けるといった問題があった。
【００１１】
本発明はこのような点に鑑みてなされたものであり、ＯＴＤＲのような特別な光測定器を使用せずに、自動的な光伝送路測定を可能にして、保守効率の向上を図った光ファイバ伝送路測定装置および光ファイバ伝送路測定システムを提供することを目的とする。
【課題を解決するための手段】
【００１２】
上記課題を解決するために、対向装置と光ファイバ伝送路で接続され、光ファイバ伝送路の測定を行う光ファイバ伝送路測定装置が提供される。この光ファイバ伝送路測定装置は、前記光ファイバ伝送路の測定に使用する測定用パケットを生成して、前記光ファイバ伝送路を介して前記対向装置へ送信する送信部と、前記光ファイバ伝送路を介して前記対向装置から折り返し戻ってきた前記測定用パケットを検出する受信部と、前記測定用パケットの生成から検出するまでに要する時間であるパケット伝送時間を計測する計測部と、前記パケット伝送時間にもとづいて、少なくとも前記光ファイバ伝送路の長さに関する、前記光ファイバ伝送路の測定制御を行う測定部と、を有する。
【００１３】
ここで、送信部は、光ファイバ伝送路の測定に使用する測定用パケットを生成して、光ファイバ伝送路を介して対向装置へ送信する。受信部は、光ファイバ伝送路を介して対向装置から折り返し戻ってきた測定用パケットを検出する。計測部は、測定用パケットの生成から検出するまでに要する時間であるパケット伝送時間を計測する。測定部は、パケット伝送時間にもとづいて、少なくとも光ファイバ伝送路の長さに関する、光ファイバ伝送路の測定制御を行う。
【発明の効果】
【００１４】
特別な光測定器を使用せずに、自動的な光ファイバ伝送路測定を可能にして、保守効率の向上を図る。
【発明を実施するための最良の形態】
【００１５】
以下、本発明の実施の形態を図面を参照して説明する。図１は光ファイバ伝送路測定システムの構成例を示す図である。光ファイバ伝送路測定システム１は、測定装置１０と対向装置３を有し、光ファイバ伝送路（下り光ファイバＦｄと上り光ファイバＦｕ）で接続する（図の左から右方向への流れを下り、右から左方向の流れを上りとする）。
【００１６】
測定装置１０は、送信部１ａ、受信部１ｂ、計測部１ｃ、測定部１ｄから構成される。また、送信部１ａは、測定用パケット生成部１１、挿入部１２、電気／光変換部（Ｅ／Ｏ）１３、合波部１４から構成され、受信部１ｂは、分波部１５、光／電気変換部（Ｏ／Ｅ）１６、測定用パケット検出部１７から構成される。
【００１７】
測定用パケット生成部１１は、測定用パケットを生成する。挿入部１２は、監視制御信号に測定用パケットを挿入してパケット挿入信号を生成する。Ｅ／Ｏ１３は、パケット挿入信号を光信号に変換して、光監視制御信号を生成する。合波部１４は、光主信号に光監視制御信号を多重化して光多重化信号を生成し、下り光ファイバＦｄを介して、対向装置３へ送信する。
【００１８】
分波部１５は、上り光ファイバＦｕを介して、対向装置３から送信された光多重化信号を受信して、光主信号と光監視制御信号とに分波する。Ｏ／Ｅ１６は、光監視制御信号を電気信号に変換して、パケット挿入信号を再生する。測定用パケット検出部１７は、再生したパケット挿入信号から、対向装置３から折り返し戻ってきた測定用パケットを検出する。
【００１９】
計測部１ｃは、測定用パケットの生成から検出するまでに要する処理時間であるパケット伝送時間を計測する。測定部１ｄは、パケット伝送時間にもとづいて、光ファイバ伝送路の長さや分散量といった光ファイバ伝送路の測定制御を行う。
【００２０】
対向装置３は、折り返し部３ａを含み、折り返し部３ａは、下り光ファイバＦｄを流れてきた測定用パケットを受信し、上り光ファイバＦｕを通じて、測定用パケットを測定装置１０へ折り返し出力する。
【００２１】
ここで、光ファイバ伝送路測定システム１をＷＤＭシステムに適用する場合、光監視制御信号は、実際にはＯＳＣ（Optical Supervisor Channel）信号に該当するものである。ＷＤＭ通信では、光主信号の他に、１ＭＨｚ〜１５０ＭＨｚ程度のＯＳＣと呼ばれる監視制御用の光信号があり、ＯＳＣ信号によって装置内の運用状態やエラー情報などを他局へ通知したりする。
【００２２】
光ファイバ伝送路測定システム１では、このＯＳＣ信号に測定用パケットを重畳して対向側へ送信し、折り返し戻ってきた測定用パケットからパケット伝送時間を計測することにより、運用中であっても顧客サービスに何ら影響を与えずに光ファイバ伝送路の測定を実現するものである。
【００２３】
なお、図の光ファイバ伝送路測定システム１では、説明をわかりやすくするために、測定側の機能と対向側の機能とに分けて示しているが、実際には、両方の機能をそれぞれの装置が持っているものである（すなわち、測定装置１０が対向装置３の機能を有し、対向装置３が測定装置１０の機能を有する。以降に説明するすべての装置形態について同様のことが当てはまる）。
【００２４】
次に光ファイバ伝送路測定システム１が適用されるＷＤＭネットワークについて詳しく説明する。図２はＷＤＭネットワークを示す図である。ＷＤＭネットワーク２００は、ＷＤＭ通信を行うリングネットワークであり、光挿入・分岐（Ａｄｄ／Ｄｒｏｐ）機能であるＯＡＤＭ（Optical Add Drop Multiplexer）を含む端局２２１〜２２６が光ファイバＦでリング状に接続される。
【００２５】
また、中継アンプ（In-Line Ampli？re）を含む中継局２３１〜２３６が端局間に配置しており、端局２２２と端局２２３の間に中継局２３１、２３２が配置し、端局２２３と端局２２４との間に中継局２３３が配置し、端局２２４と端局２２５との間に中継局２３４、２３５が配置し、端局２２６と端局２２１との間に中継局２３６が配置している。さらに、端局２２２にはＬＡＮ／ＷＡＮ２４１が接続し、端局２２３にはアクセス網２４２が接続し、端局２２６にはアクセス網２４３が接続する。
【００２６】
図中の太線矢印に示される信号伝送のＡｄｄ／Ｄｒｏｐについて説明すると、アクセス網２４２から端局２２３へ向けて信号が送出され、中継局２３２は、リング状を反時計回りに流れてきた信号を増幅して出力する。
【００２７】
端局２２３は、中継局２３２からの出力信号に、アクセス網２４２からの信号をＡｄｄして多重化（波長多重化）する。多重化信号は、中継局２３３、端局２２４、中継局２３４、２３５、端局２２５の順に経由して、端局２２６に到達する。端局２２６では、受信した多重化信号から、リング内に流すべき信号と、アクセス網２４３へＤｒｏｐすべき信号とを分離（波長分離）し、アクセス網２４３に所定の信号をＤｒｏｐする。
【００２８】
次にＯＡＤＭの内部構成について説明する。図３、図４はＯＡＤＭの内部構成を示す図である。ＯＡＤＭ２０は、アンプ部２１、２２、ＯＡＤＭ部２３、２４、制御部２５、ＤＣＦ（Dispersion Compensation Fiber：分散補償ファイバ）２６−１、２６−２、ＯＳＣ部２ｃ、２、カプラＣ１、Ｃ２から構成される。
【００２９】
また、ＯＡＤＭ部２３、２４には、リングネットワークを流れるＷＤＭの波長多重化信号にＡｄｄすべき光信号を送信し、またはリングネットワークからＤｒｏｐされた光信号を受信するトリビュタリのＯＬＣ（Optical Line Card）２０１が接続する。さらに、制御部２５には、保守端末２０２が接続可能である。
【００３０】
アンプ部２１は、ＯＳＣカプラ２１ａ−１およびプリアンプ２１ｂ−１を含むプリアンプモジュール２１−１と、ＯＳＣカプラ２１ａ−２およびポストアンプ２１ｂ−２を含むポストアンプモジュール２１−２とから構成される。
【００３１】
アンプ部２２は、ＯＳＣカプラ２２ａ−１およびポストアンプ２２ｂ−１を含むポストアンプモジュール２２−１と、ＯＳＣカプラ２２ａ−２およびプリアンプ２２ｂ−２を含むプリアンプモジュール２２−２とから構成される。
【００３２】
ＯＡＤＭ部２３は、Ｄｅｍｕｘ２３ａ、２３ｂ、光スイッチ２３ｃ−１〜２３ｃ−ｎ、ＶＯＡ（Variable Optical Attenuator：可変光減衰器）２３ｄ−１〜２３ｄ−ｎ、Ｍｕｘ２３ｅから構成される。
【００３３】
ＯＡＤＭ部２４は、Ｄｅｍｕｘ２４ａ、２４ｂ、光スイッチ２４ｃ−１〜２４ｃ−ｎ、ＶＯＡ２４ｄ−１〜２４ｄ−ｎ、Ｍｕｘ２４ｅから構成される。ＯＳＣ部２ｃは、Ｏ／Ｅ２ｃ−１、Ｅ／Ｏ２ｃ−２を含み、ＯＳＣ部２は、Ｅ／Ｏ１３、Ｏ／Ｅ１６を含む。
【００３４】
制御部２５は、ＣＰＵ、メモリ（データベース）、Ｉ／Ｏ（入出力）インタフェースなどから構成され、図１の測定部１ｄの機能を含む。また、ＯＡＤＭ２０の各構成ブロックの全体制御を行う。
【００３５】
構成ブロック制御として例えば、ＯＳＣ部２ｃ、２で受信されたＯＳＣ信号のモニタを行い（ＯＳＣ信号のＯ／Ｅ変換後の電気信号のモニタを行い）、または自局の装置状態をＯＳＣ部２ｃ、２に通知してＯＳＣ信号の生成を指示する。
【００３６】
また、アンプ部２１、２２内の各アンプに対して、ＡＬＣ（Auto Level Control）やＡＧＣ（Auto Gain Control）といったアンプ設定制御を行う。さらにＯＡＤＭ部２３、２４内の光スイッチに対して、Ｔｈｒｕ側光信号とＡｄｄ側光信号とのスイッチ切り替え指示を行ったり、ＶＯＡに対してレベル調整指示を行ったりする。
【００３７】
なお、光ファイバ伝送路の測定結果は、保守端末２０２に表示される。また、保守端末２０２のユーザインタフェースを通じて、制御部２５（測定部１ｄ）に光ファイバ伝送路測定指示が設定される。
【００３８】
また、ＯＡＤＭ２０の装置状態（運用状態やエラー状態等）が、保守端末２０２に表示され、保守端末２０２のユーザインタフェースを通じて、制御部２５に所定の運用情報等が設定されたりする。
【００３９】
ＯＡＤＭ２０の下り方向の動作について説明する。なお、説明しやすいように、波長多重されている光主信号をＷＤＭ主信号と呼び、ＷＤＭ主信号にＯＳＣ信号が合波したものをＷＤＭ信号と呼ぶことにする。
【００４０】
下り光ファイバＦｄ−１を流れてきたＷＤＭ信号は、ＤＣＦ２６−１に入力して分散補償される。ＯＳＣカプラ２１ａ−１は、分散補償後のＷＤＭ信号から、ＷＤＭ主信号とＯＳＣ信号とを分岐する。
【００４１】
ＯＳＣ信号は、ＯＳＣ部２ｃへ入力し、Ｏ／Ｅ２ｃ−１により電気信号に変換されて、制御部２５でモニタされる。また、ＷＤＭ主信号は、プリアンプ２１ｂ−１へ入力し、プリアンプ２１ｂ−１は、ＷＤＭ主信号を増幅する。
【００４２】
カプラＣ１は、増幅後のＷＤＭ主信号を２分岐し、一方のＷＤＭ主信号をＯＡＤＭ部２３へ送出し、他方のＷＤＭ主信号をＯＡＤＭ部２４へ送出する。ＯＡＤＭ部２３のＤｅｍｕｘ２３ａは、ＷＤＭ主信号を波長単位に分離し、単一波長の光信号をＯＬＣ２０１へＤｒｏｐする。
【００４３】
ＯＡＤＭ部２４のＤｅｍｕｘ２４ｂは、ＷＤＭ主信号を波長単位に分離する。光スイッチ２４ｃ−１〜２４ｃ−ｎは、分離された波長毎に設けられ、Ｄｅｍｕｘ２４ｂから出力した単一波長の光信号（Ｔｈｒｕ側）と、ＯＬＣ２０１から送信された光信号（Ａｄｄ側）とをスイッチングして（出力切り替えを行って）、いずれかの光信号を出力する。
【００４４】
ＶＯＡ２４ｄ−１〜２４ｄ−ｎは、分離された波長毎に設けられ、光スイッチ２４ｃ−１〜２４ｃ−ｎから出力された波長毎にレベル制御を行い、例えば、すべての波長の光信号を同一レベルに調整して出力する。Ｍｕｘ２４ｅは、レベル調整後のｎ波の光信号を多重化して、新たなＷＤＭ主信号を生成する。
【００４５】
ポストアンプ２２ｂ−１は、Ｍｕｘ２４ｅから出力されたＷＤＭ主信号を増幅する。また、ＯＳＣ部２は、制御部２５から通知された自局に関する運用監視情報などを、Ｅ／Ｏ１３により光に変換してＯＳＣ信号を生成する。
【００４６】
ＯＳＣカプラ２２ａ−１は、ポストアンプ２２ｂ−１で増幅されたＷＤＭ主信号と、ＯＳＣ部２から送信されたＯＳＣ信号とを合波してＷＤＭ信号を生成し、下り光ファイバＦｄ−２を介して、リングネットワーク上へ送信する。
【００４７】
ＯＡＤＭ２０の上り方向の動作について説明する（信号の流れが逆向きになるだけで動作は下り方向と同じである）。上り光ファイバＦｕ−１を流れてきたＷＤＭ信号は、ＤＣＦ２６−２に入力して分散補償される。ＯＳＣカプラ２２ａ−２は、分散補償後のＷＤＭ信号から、ＷＤＭ主信号とＯＳＣ信号とを分岐する。
【００４８】
ＯＳＣ信号は、ＯＳＣ部２へ入力し、Ｏ／Ｅ１６により電気信号に変換されて、制御部２５でモニタされる。ＷＤＭ主信号は、プリアンプ２２ｂ−２へ入力し、プリアンプ２２ｂ−２は、ＷＤＭ主信号を増幅する。
【００４９】
カプラＣ２は、増幅後のＷＤＭ主信号を２分岐し、一方のＷＤＭ主信号をＯＡＤＭ部２４へ送出し、他方のＷＤＭ主信号をＯＡＤＭ部２３へ送出する。ＯＡＤＭ部２４のＤｅｍｕｘ２４ａは、ＷＤＭ主信号を波長単位に分離し、単一波長の光信号をＯＬＣ２０１へＤｒｏｐする。
【００５０】
ＯＡＤＭ部２３のＤｅｍｕｘ２３ｂは、ＷＤＭ主信号を波長単位に分離する。光スイッチ２３ｃ−１〜２３ｃ−ｎは、分離された波長毎に設けられ、Ｄｅｍｕｘ２３ｂから出力した単一波長の光信号（Ｔｈｒｕ側）と、ＯＬＣ２０１から送信された光信号（Ａｄｄ側）とをスイッチングして（出力切り替えを行って）、いずれかの光信号を出力する。
【００５１】
ＶＯＡ２３ｄ−１〜２３ｄ−ｎは、分離された波長毎に設けられ、光スイッチ２３ｃ−１〜２３ｃ−ｎから出力された波長毎にレベル制御を行い、例えば、すべての波長の光信号を同一レベルに調整して出力する。Ｍｕｘ２３ｅは、レベル調整後のｎ波の光信号を多重化して、新たなＷＤＭ主信号を生成する。
【００５２】
ポストアンプ２１ｂ−２は、Ｍｕｘ２３ｅから出力されたＷＤＭ主信号を増幅する。また、ＯＳＣ部２ｃでは、制御部２５から通知された自局に関する運用監視情報などを、Ｅ／Ｏ２ｃ−２により光に変換してＯＳＣ信号を生成する。
【００５３】
ＯＳＣカプラ２１ａ−２は、ポストアンプ２１ｂ−２で増幅されたＷＤＭ主信号と、ＯＳＣ部２ｃから送信されたＯＳＣ信号とを合波してＷＤＭ信号を生成し、上り光ファイバＦｕ−２を介して、リングネットワーク上へ送信する。
【００５４】
次に端局のＯＡＤＭ２０内に測定装置１０の機能を適用し、中継局に対向装置３の機能を適用した場合の構成・動作について説明する。図５はＯＡＤＭに測定装置１０の機能を適用した場合の構成を示す図であり、図６は中継局に対向装置３の機能を適用した場合の構成を示す図である。
【００５５】
ＯＡＤＭ２０−１は、測定装置１０の機能を有し（説明に必要な構成要素のみ図に示す）、ＯＳＣ部２―１（図４のＯＳＣ部２に該当）は、送信バッファ１０ａ、測定用パケット生成部１１、挿入部１２、Ｉ／Ｆ（インタフェース部）１０ｂ、送信ＦＩＦＯ（First In First Out）１０ｃ、Ｅ／Ｏ１３、Ｏ／Ｅ１６、受信ＦＩＦＯ１０ｅ、Ｉ／Ｆ１０ｆ、受信バッファ１０ｇ、測定用パケット検出部１７、計測部１ｃから構成される。
【００５６】
制御部２５−１（図３の制御部２５に該当）は、測定部１ｄを含み、測定部１ｄは、測定制御部１ｄ−１、データベース１ｄ−２を含む。ポストアンプモジュール２２−１、プリアンプモジュール２２−２およびＤＣＦ２６−２は、図４と同じ構成要素である。
【００５７】
また、ＯＳＣカプラ２２ａ−１は、図１の合波部１４に対応し、ＯＳＣカプラ２２ａ−２は、図１の分波部１５に対応するものである。なお、測定装置１０の送信部１ａと受信部１ｂに該当するブロックを、わかりやすいように点線で囲んでいる。
【００５８】
中継局内の中継部３０は、ＯＳＣカプラ３１ａ、Ｏ／Ｅ３１ｂ、受信ＦＩＦＯ３１ｃ、Ｉ／Ｆ３１ｄ、受信バッファ３１ｅ、ＯＳＣカプラ３２ａ、Ｅ／Ｏ３２ｂ、送信ＦＩＦＯ３２ｃ、Ｉ／Ｆ３２ｄ、送信バッファ３２ｅ、折り返し部３ａ、制御部３５から構成される。また、折り返し部３ａは、測定用パケット抽出部３ａ−１、クロック乗せ変え部３ａ−２、挿入部３ａ−３から構成される。なお、制御部３５は、中継局内の構成要素の全体制御を行う。
【００５９】
光ファイバ伝送路測定に関連する各構成要素の動作について説明する。ＯＳＣ部２−１内の送信バッファ１０ａは、制御部２５−１から送信された監視制御信号（ＯＳＣ信号を光に変換する前の元信号）ｄ０をバッファリングする。測定用パケット生成部１１は、測定用パケットｐを生成する。挿入部１２は、バッファリング後の監視制御信号ｄ０に測定用パケットｐを挿入して、パケット挿入信号ｄ１を生成する。
【００６０】
パケット挿入信号ｄ１は、Ｉ／Ｆ１０ｂを介して、送信ＦＩＦＯ１０ｃへ送信されて蓄積される。Ｅ／Ｏ１３は、送信ＦＩＦＯ１０ｃから出力されたパケット挿入信号ｄ１を光に変換して光監視制御信号（測定用パケットｐを含むＯＳＣ信号であり、ＯＳＣ信号ｄ２とする）を生成する。
【００６１】
ＯＳＣカプラ２２ａ−１は、ポストアンプ２２ｂ−１で増幅されたＷＤＭ主信号と、ＯＳＣ信号ｄ２とを合波してＷＤＭ信号を生成し、下り光ファイバＦｄ−２を介して、対向の中継局へ送信する。
【００６２】
中継局の中継部３０において、ＯＳＣカプラ３１ａは、ＷＤＭ信号をＷＤＭ主信号とＯＳＣ信号ｄ２とに分岐する。Ｏ／Ｅ３１ｂは、ＯＳＣ信号ｄ２を電気に変換し、パケット挿入信号ｄ１を生成する。受信ＦＩＦＯ３１ｃは、パケット挿入信号ｄ１を蓄積する。
【００６３】
受信ＦＩＦＯ３１ｃから出力されたパケット挿入信号ｄ１は、Ｉ／Ｆ３１ｄを介して、測定用パケット抽出部３ａ−１へ送信され、測定用パケット抽出部３ａ−１は、パケット挿入信号ｄ１から測定用パケットｐを抽出する。
【００６４】
受信バッファ３１ｅは、測定用パケットｐが除去された監視制御信号ｄ０をバッファリングした後、後段処理部へ送信する。クロック乗せ変え部３ａ−２は、測定用パケットｐのクロック乗せ変えを行う（中継部３０で使用されているクロック周波数に変換する）。
【００６５】
送信バッファ３２ｅは、前段から送信された監視制御信号ｄ０−１のバッファリングを行う。挿入部３ａ−３は、バッファリング後の監視制御信号ｄ０−１にクロック乗せ変え後の測定用パケットｐを挿入して、パケット挿入信号ｄ１−１を生成する。
【００６６】
パケット挿入信号ｄ１−１は、Ｉ／Ｆ３２ｄを介して、送信ＦＩＦＯ３２ｃへ送信され、送信ＦＩＦＯ３２ｃは、パケット挿入信号ｄ１−１を蓄積する。Ｅ／Ｏ３２ｂは、送信ＦＩＦＯ３２ｃから出力されたパケット挿入信号ｄ１−１を光に変換して、測定用パケットｐを含むＯＳＣ信号ｄ２−１を生成する。ＯＳＣカプラ３２ａは、ＷＤＭ主信号とＯＳＣ信号ｄ２−１とを合波してＷＤＭ信号を生成し、上り光ファイバＦｕ−１を介して端局へ送信する。
【００６７】
ＯＡＤＭ２０−１内のＤＣＦ２６−２は、ＷＤＭ信号を受信して分散補償を行う。ＯＳＣカプラ２２ａ−２は、分散補償後のＷＤＭ信号をＷＤＭ主信号とＯＳＣ信号ｄ２−１とに分岐する。Ｏ／Ｅ１６は、ＯＳＣ信号ｄ２−１を電気に変換し、パケット挿入信号ｄ１−１を生成する。受信ＦＩＦＯ１０ｅは、パケット挿入信号ｄ１−１を蓄積する。
【００６８】
受信ＦＩＦＯ１０ｅから出力されたパケット挿入信号ｄ１−１は、Ｉ／Ｆ１０ｆを介して受信バッファ１０ｇへ送信され、受信バッファ１０ｇは、パケット挿入信号ｄ１−１をバッファリングする。
【００６９】
測定用パケット検出部１７は、パケット挿入信号ｄ１−１の中から測定用パケットｐを検出する。また、測定用パケットｐが除去された監視制御信号ｄ０−１は、制御部２５−１へ送信する。
【００７０】
計測部１ｃは、測定用パケット生成部１１で測定用パケットｐが生成された時間と、測定用パケット検出部１７で測定用パケットｐが検出された時間とにもとづいて、パケット伝送時間を計測し、測定部１ｄへ送信する。データベース１ｄ−２は、パケット伝送時間および光ファイバ伝送路測定に必要なパラメータ値を格納し、測定制御部１ｄ−１は、データベース１ｄ−２で格納した各種情報を用いて、光ファイバ伝送路の測定制御を行う。
【００７１】
次に光ファイバ伝送路測定として、光ファイバ長を測定する際の動作について詳しく説明する。なお、測定用パケットｐがＤＣＦを通過するか否かで測定制御が異なることになる。測定用パケットｐがＤＣＦを通過するときには、ＤＣＦの長さ情報が必要となり、測定用パケットｐがＤＣＦを通過しないときには、ＤＣＦの長さ情報は不要となる。
【００７２】
図５では、ＤＣＦ２６−２は、ＯＳＣカプラ２２ａ−２の入力段に配置され、測定用パケットｐはＤＣＦ２６−２を通過することになるので、ＤＣＦの長さ情報を使用する光ファイバ長測定となる。
【００７３】
また、測定用パケットｐがＤＣＦを通過しない場合というのは、例えば、プリアンプ２２ｂ−２内にＤＣＦが内蔵されているＤＣＦ内蔵型のプリアンプなどを使用する場合であり、このとき、測定用パケットｐはＤＣＦ（プリアンプ）に入力するまえにＯＳＣカプラ２２ａ−２で分岐されるので、ＤＣＦの長さ情報を使用しない、光ファイバ長測定が適用されることになる。
【００７４】
図７は光ファイバ長の測定前の準備動作を示すフローチャートである。
〔Ｓ１〕保守者は、測定側（ＯＡＤＭ２０−１）の保守端末２０２に、測定開始コマンドを入力する。ＯＡＤＭ２０−１の制御部２５−１は、測定開始コマンドを認識し、通常のＯＳＣ信号によって、測定側から対向側（中継部３０）へ、折り返し設定要求が送信される。
【００７５】
〔Ｓ２〕中継部３０（制御部３５）は、測定用パケットｐの折り返し設定を行うとともに、折り返し時間Ｔ２を測定側のＯＡＤＭ２０−１へ転送する（折り返し時間Ｔ２の転送には、中継局で生成したＯＳＣ信号で転送することになる）。なお、折り返し時間Ｔ２とは、測定用パケットｐが中継部３０に到達してから、上り光ファイバＦｕ−１から送出するまでの折り返し処理に要する時間である。
【００７６】
〔Ｓ３〕データベース１ｄ−２は、転送された折り返し時間Ｔ２を登録する。
〔Ｓ４〕データベース１ｄ−２は、測定用パケットｐの生成から下り光ファイバＦｄ−２へ送出するでに要する処理時間と、測定用パケットｐがＯＡＤＭ２０−１に到達してから検出されるまでに要する処理時間との総和であるパケット処理時間Ｔ１を登録する。
【００７７】
〔Ｓ５〕データベース１ｄ−２は、上り光ファイバＦｕ−１側に設けられている分散補償ファイバ（ＤＣＦ２６−２）に関する各種パラメータを登録する。ＤＣＦ２６−２の分散補償パラメータとしては、例えば、分散量、分散係数、分散量ばらつき、ＤＣＦ長およびＤＣＦ長の製造ばらつき等がある。
【００７８】
〔Ｓ６〕測定用パケットｐがＤＣＦを通過しない装置構成の場合はステップＳ７へいき、測定用パケットｐがＤＣＦを通過する装置構成の場合はステップＳ８へいく。
〔Ｓ７〕分散補償パラメータを使用しない、光ファイバ長測定の準備が完了する。
【００７９】
〔Ｓ８〕分散補償パラメータを使用する、光ファイバ長測定の準備が完了する。
なお、図５では、ＤＣＦ２６−２は、ＯＳＣカプラ２２ａ−２の入力段に配置され、測定用パケットｐはＤＣＦ２６−２を通過することになるので、分散補償パラメータを用いる光ファイバ長測定となる。
【００８０】
図８はパケット伝送時間を計測する際の動作を示すフローチャートである。
〔Ｓ１１〕測定用パケット生成部１１は、測定用パケットｐを生成する。
〔Ｓ１２〕計測部１ｃは、測定用パケットｐの生成時にタイマカウンタをスタートする（スタート時間ｔ１とする）。
【００８１】
〔Ｓ１３〕測定用パケット検出部１７は、折り返し戻ってきたパケット挿入信号ｄ１−１の中から測定用パケットｐを検出する。
〔Ｓ１４〕計測部１ｃは、測定用パケットｐの検出時にタイマカウンタをストップする（ストップ時間ｔ２とする）。
【００８２】
〔Ｓ１５〕計測部１ｃは、ストップ時間ｔ２からスタート時間ｔ１を引いて、パケット伝送時間（パケット伝送時間Ｔtotalとする）を求める。
図９は分散補償パラメータを不要とする光ファイバ長測定の動作を示すフローチャートである。測定用パケットｐがＤＣＦを通過しない構成のときの測定フローである。
【００８３】
〔Ｓ２１ａ〕測定制御部１ｄ−１は、データベース１ｄ−２からパケット伝送時間Ｔtotalを読み出す。
〔Ｓ２２ａ〕測定制御部１ｄ−１は、測定用パケットｐが下り光ファイバＦｄ−２および上り光ファイバＦｕ−１を伝送するときの伝送時間Ｔfiberを算出する。算出式は、以下の式（１ａ）となる。
【００８４】
Ｔfiber＝Ｔtotal−（Ｔ１＋Ｔ２）・・・（１ａ）
〔Ｓ２３ａ〕測定制御部１ｄ−１は、下り光ファイバＦｄ−２の長さと上り光ファイバＦｕ−１の長さ（光ファイバの往復長）Ｌfiberを算出する。算出式は、光ファイバ内の光速度をＶとすると、以下の式（２）となる。ただし、Ｖ＝Ｃ0／ｎgであり、Ｃ0は真空中の光速度、ｎgは群屈折率である。
【００８５】
Ｌfiber＝Ｔfiber×Ｖ＝Ｔfiber×Ｃ0／ｎg・・・（２）
図１０は分散補償パラメータを使用する光ファイバ長測定の動作を示すフローチャートである。図５のような、測定用パケットｐがＤＣＦ２６−２を通過する構成のときの測定フローである。
【００８６】
〔Ｓ２１ｂ〕測定制御部１ｄ−１は、データベース１ｄ−２からパケット伝送時間Ｔtotalを読み出す。
〔Ｓ２２ｂ〕測定制御部１ｄ−１は、測定用パケットｐが下り光ファイバＦｄ−２および上り光ファイバＦｕ−１並びにＤＣＦ２６−２を伝送するときの伝送時間Ｔfiberを以下の式（１ｂ）で算出する。
【００８７】
Ｔfiber＝Ｔtotal−（Ｔ１＋Ｔ２）・・・（１ｂ）
〔Ｓ２３ｂ〕測定制御部１ｄ−１は、下り光ファイバＦｄ−２および上り光ファイバＦｕ−１の長さ（光ファイバの往復長）並びにＤＣＦ２６−２の長さであるＬtotalを以下の式（３）で算出する。
【００８８】
Ｌtotal＝Ｔfiber×Ｃ0／ｎg・・・（３）
〔Ｓ２４〕測定制御部１ｄ−１は、データベース１ｄ−２から分散補償パラメータの中のＤＣＦ長さ情報を読み出す。
【００８９】
〔Ｓ２５〕測定制御部１ｄ−１は、下り光ファイバＦｄ−２および上り光ファイバＦｕ−１の長さ（光ファイバの往復長）Ｌfiberを、ＤＣＦ長さ情報をＬdとして以下の式（４）で算出する。なお、Ｌd=Ｌdcf＋ΔＬdcfであり、ＬdcfはＤＣＦ２６−２の長さ、ΔＬdcfはＤＣＦ２６−２の製造ばらつき長さである。
【００９０】
Ｌfiber＝Ｌtotal−Ｌd＝Ｌtotal−（Ｌdcf＋ΔＬdcf）・・・（４）
なお、上記のステップＳ２２ａの式（１ａ）中の時間Ｔtotalおよび時間Ｔ１に関しては、測定用パケットのＤＣＦ通過時間は含まれてはいないが、ステップＳ２２ｂの式（１ｂ）中の時間Ｔtotalおよび時間Ｔ１に関しては、測定用パケットのＤＣＦ２６−２の通過時間は含まれていることになる。
【００９１】
次に監視制御信号に測定用パケットｐが挿入されたパケット挿入信号のフォーマットについて説明する。ＯＳＣ信号は、ＳＤＨ／ＳＯＮＥＴ（Synchronous Digital Hierarchy／Synchronous Optical Network）に準拠したフレーム構成を有し、測定用パケットｐは、ＳＤＨ／ＳＯＮＥＴフレームのペイロード部分にＰｏＳ（Packet on SONET）フレームとして挿入することができる。すなわち、ＳＤＨ／ＳＯＮＥＴフレームに測定用パケットが挿入されたものがパケット挿入信号である。
【００９２】
図１１はＳＯＮＥＴフレームのフォーマットを示す図である。測定用パケットｐは、ＰｏＳフレームとしてＳＯＮＥＴフレームのペイロード部分に挿入される。なお、測定用パケットｐは、任意のビット配列であり、例えば、タイムスタンプや装置名のユニークデータなどを使用する。
【００９３】
以上説明したように、光ファイバ伝送路測定システム１では、ＯＳＣ信号に測定用パケットを重畳させて、対向側で折り返すことで、パケット伝送時間を求めて、光ファイバ長を測定する構成としたので、システム運用中であっても何らサービスを停止することなく、光ファイバ長の測定を行うことが可能になる。また、ＯＴＤＲの光測定器を不要とする自動測定であるため（ユーザが測定開始時に保守端末２０２に測定開始コマンドを投入するだけで光ファイバ長が自動測定される）、保守効率を格段に向上させることが可能になる。
【００９４】
次に光ファイバ長測定の変形例について説明する。光ファイバ長測定の変形例は、片道分の光ファイバ長を測定するものである。上述した光ファイバ長測定では、上り／下りの往復の光ファイバ長を求めており、片道分について知りたい場合は往復長の平均を取ることになる（往復長Ｌfiberを２で割った値を上り／下り光ファイバのそれぞれの長さとする）。
【００９５】
実際の光ネットワークにおいて、上り／下りの光ファイバ長に大きな差があることは稀なので、実用上は上記で説明した光ファイバ長測定で十分であるケースが多いが、片道の光ファイバ長をより正確に測定したいような場合には、以下に示す変形例によって測定することになる。
【００９６】
図１２、図１３は片道分の光ファイバ長測定を行う変形例の構成を示す図である。なお、図５、図６と同じ構成には同じ符号をつけてそれらの説明は省略する。ＯＡＤＭ２０−２に対し、ＯＳＣ部２−２のＥ／Ｏ１３の出力段に、測定側カプラ（カプラ１０ｈ）が設けられる。また、測定側光スイッチ（光スイッチ１０ｉ）が上り光ファイバＦｕ−１の入力端に設けられる。
【００９７】
中継部３０−２は、あらたに到着時間差検出部３０ｂの機能を有し、また、対向側光スイッチ（光スイッチ３０ａ）が上り光ファイバＦｕ−１の出力端に設けられる。さらに、Ｏ／Ｅ３３ｂ、受信ＦＩＦＯ３３ｃ、Ｉ／Ｆ３３ｄが設けられる。
【００９８】
カプラ１０ｈは、Ｅ／Ｏ１３から出力されたＯＳＣ信号ｄ２を２分岐し、一方をＯＳＣカプラ２２ａ−１へ送信し、他方を光スイッチ１０ｉへ送信する。光スイッチ１０ｉは、測定制御部１ｄ−１のスイッチング指示にもとづき、スイッチ方向を送信状態または受信状態に切り替える。
【００９９】
光スイッチ１０ｉにおいて、送信状態のスイッチ切り替え時は、カプラ１０ｈから分岐されたＯＳＣ信号ｄ２を、上り光ファイバＦｕ−１を介して中継局へ送信する。また、受信状態のスイッチ切り替え時は、中継局から送信されたＷＤＭ信号を受信してＤＣＦ２６−２へ送信する。
【０１００】
なお、光スイッチ１０ｉの通常運用時のスイッチ状態は、受信状態であり、片道分の光ファイバ長測定を行う際の測定用パケット到着時間差検出時のみ、送信状態にスイッチングされる。
【０１０１】
中継部３０−２の光スイッチ３０ａは、制御部３５のスイッチング指示にもとづき、スイッチ方向を送信状態または受信状態に切り替える。光スイッチ３０ａにおいて、送信状態のスイッチ切り替え時は、ＯＳＣカプラ３２ａから出力されたＷＤＭ信号をＯＡＤＭ２０−２へ送信する。
【０１０２】
また、受信状態のスイッチ切り替え時は、ＯＡＤＭ２０−２から送信されたＯＳＣ信号ｄ２（光スイッチ１０ｉから出力されるＯＳＣ信号である）を受信してＯ／Ｅ３３ｂへ送信する。なお、光スイッチ３０ａの通常運用時のスイッチ状態は、送信状態であり、片道分の光ファイバ長測定を行う際の測定用パケット到着時間差検出時のみ、受信状態にスイッチングされる。
【０１０３】
図１４は片道分の光ファイバ長測定の動作を示すフローチャートである。
〔Ｓ３１〕光スイッチ１０ｉは、送信状態へスイッチングし、光スイッチ３０ａは、受信状態へスイッチングする。なお、光スイッチ１０ｉ、３０ａのスイッチ設定は、保守端末２０２を通じて設定することができる。
【０１０４】
すなわち、保守端末２０２からスイッチ設定コマンドを投入すると、測定制御部１ｄ−１の制御により、光スイッチ１０ｉは所定のスイッチ状態に切り替わる。また、光スイッチ３０ａに関しては、ＯＡＤＭ２０−２（端局）内で生成されたＯＳＣ信号に、光スイッチ３０ａのスイッチ設定情報が挿入されて中継局へ伝送され、中継部３０−２内の制御部３５が、伝送されたＯＳＣ信号の内容を認識して、光スイッチ３０ａを所定のスイッチ状態に設定する。
【０１０５】
〔Ｓ３２〕Ｅ／Ｏ１３は、測定用パケットｐを含むＯＳＣ信号ｄ２を出力し、ＯＳＣ信号ｄ２は、カプラ１０ｈで２分岐される。
〔Ｓ３３〕分岐された一方のＯＳＣ信号ｄ２（第１の光監視制御信号に該当）は、ＯＳＣカプラ２２ａ−１を介して下り光ファイバＦｄ−２を介して中継局へ送信される。
【０１０６】
〔Ｓ３４〕分岐された他方のＯＳＣ信号ｄ２（第２の光監視制御信号に該当）は、光スイッチ１０ｉを介して上り光ファイバＦｕ−１を介して中継局へ送信される。
〔Ｓ３５〕下り光ファイバＦｄ−２を介して伝送された測定用パケットおよび上り光ファイバＦｕ−１を介して伝送された測定用パケットが、到着時間差検出部３０ｂに到着する。
【０１０７】
すなわち、下り光ファイバＦｄ−２を介して伝送されたＯＳＣ信号ｄ２に関し、ＯＳＣ信号ｄ２は、ＯＳＣカプラ３１ａを介してＯ／Ｅ３１ｂへ送信され、Ｏ／Ｅ３１ｂで電気のパケット挿入信号ｄ１に変換されて、パケット挿入信号ｄ１は、受信ＦＩＦＯ３１ｃで蓄積される。
【０１０８】
受信ＦＩＦＯ３１ｃから出力したパケット挿入信号ｄ１は、Ｉ／Ｆ３１ｄを介して、測定用パケット抽出部３ａ−１へ入力し、抽出された測定用パケット（第１の測定用パケットに該当し、測定用パケットｐ１とする）は、到着時間差検出部３０ｂに入力する。
【０１０９】
一方、上り光ファイバＦｕ−１を介して伝送されたＯＳＣ信号ｄ２に関し、ＯＳＣ信号ｄ２は、光スイッチ３０ａを介して、Ｏ／Ｅ３３ｂへ送信され、Ｏ／Ｅ３３ｂで電気のパケット挿入信号ｄ１に変換されて、パケット挿入信号ｄ１は、受信ＦＩＦＯ３３ｃで蓄積される。
【０１１０】
受信ＦＩＦＯ３３ｃから出力したパケット挿入信号ｄ１は、Ｉ／Ｆ３３ｄを介して、到着時間差検出部３０ｂに入力し、到着時間差検出部３０ｂは、パケット挿入信号ｄ１から測定用パケット（第２の測定用パケットに該当し、測定用パケットｐ２とする）を抽出する。
【０１１１】
〔Ｓ３６〕到着時間差検出部３０ｂは、測定用パケットｐ１、ｐ２の到着時間差ΔＴの検出と、先着した光ファイバルートの検出（上り光ファイバまたは下り光ファイバのどちらの光ファイバの測定用パケットが先に到着したかの検出）を行う。
【０１１２】
〔Ｓ３７〕光スイッチ３０ａは、送信状態へスイッチングし、光スイッチ１０ｉは、受信状態へスイッチングする。なお、上述のように、測定用パケットの到着時間差検出時のみ、光スイッチ１０ｉは送信状態、光スイッチ３０ａは受信状態となるので、それ以外の場合は、光スイッチ１０ｉは受信状態、光スイッチ３０ａは送信状態となって通常運用状態に戻る。
【０１１３】
〔Ｓ３８〕中継部３０−２（制御部３５）は、ステップＳ３６の検出結果を、中継局で生成したＯＳＣ信号を用いて、上り光ファイバＦｕ−１を通じて端局のＯＡＤＭ２０−２へ通知する。
【０１１４】
〔Ｓ３９〕測定制御部１ｄ−１は、上り光ファイバＦｕ−１と下り光ファイバＦｄ−２との距離差をΔＬとした際に、下り光ファイバの長さＬａおよび上り光ファイバの長さＬｂを、通知された検出結果ΔＴにもとづいて、以下の式（５ａ）、（５ｂ）で算出する。
【０１１５】
なお、Ｌfiberは、上述の式（２）または式（４）で求めた、下り光ファイバＦｄ−２および上り光ファイバＦｕ−１の往復長である。また、検出結果からＬａ＞ＬｂならばΔＬ＝Ｌａ−Ｌｂを使用し、Ｌｂ＞ＬａならばΔＬ＝Ｌｂ−Ｌａを使用する。
【０１１６】
ΔＬ＝ΔＴ×Ｖ＝Ｌａ−Ｌｂ（Ｌａ＞Ｌｂ）＝Ｌｂ−Ｌａ（Ｌｂ＞Ｌａ）
・・・（５ａ）
Ｌfiber＝Ｌａ＋Ｌｂ・・・（５ｂ）
ここで、片道の光ファイバ長の測定では、上り光ファイバＦｕ−１からも中継局へ向けて測定用パケットｐ２を送信し、中継局において測定用パケットｐ１、ｐ２の到着時間差を検出させるので、この時間帯においては、上り光ファイバＦｕ−１を使用した通常のサービスは停止となる。
【０１１７】
ただし、この停止時間（上り光ファイバＦｕ−１に測定用パケットｐ２が流れて到着時間差が検出されるまでの時間）は、非常にわずかな時間で済むものなので、通常のサービスに顕著な支障を与えるようなことはない（ちなみに、従来の光測定器を使用した場合は、測定器の設置・データ設定などで必要な測定を行うのに時間がかかり、サービス停止時間が長くなる）。
【０１１８】
次に分散量の測定について説明する。上述した光ファイバ長測定で光ファイバ長を測定できれば、光ファイバ種毎の平均分散量から、光ファイバの平均分散量を求めることが可能になる。図１５は分散量の測定動作を示すフローチャートである。
【０１１９】
〔Ｓ４１〕データベース１ｄ−２は、下り光ファイバＦｄ−２および上り光ファイバＦｕ−１に使用する光ファイバ種類の平均分散量（ｄfiberとする）を登録する。例えば、光ファイバとしてＳＭＦ（Single Mode Fiber）を使用するならば、ＳＭＦの平均分散量１７ｐｓ／ｎｍ／ｋｍが登録される。
【０１２０】
〔Ｓ４２〕下り光ファイバＦｄ−２および上り光ファイバＦｕ−１の長さ（光ファイバの往復長）Ｌfiberを算出する場合はステップＳ４３へいき、下り光ファイバＦｄ−２および上り光ファイバＦｕ−１それぞれの片道の長さを算出する場合はステップＳ４５へいく。
【０１２１】
〔Ｓ４３〕測定制御部１ｄ−１は、上述の式（２）または式（４）により、光ファイバ往復長Ｌfiberを算出する。
〔Ｓ４４〕測定制御部１ｄ−１は、平均分散量ｄfiberをデータベース１ｄ−２から読み出し、上り光ファイバＦｕ−１および下り光ファイバＦｄ−２それぞれの平均分散量Ｄを、以下の式（６ａ）で算出する。
【０１２２】
Ｄ＝Ｌfiber×ｄfiber／２・・・（６ａ）
〔Ｓ４５〕測定制御部１ｄ−１は、上述の式（５ａ）、（５ｂ）により、下り光ファイバＦｄ−２の長さＬａと、上り光ファイバＦｕ−１の長さＬｂを算出する。
【０１２３】
〔Ｓ４６〕測定制御部１ｄ−１は、平均分散量ｄfiberをデータベース１ｄ−２から読み出し、下り光ファイバＦｄ−２の平均分散量Ｄａを、以下の式（６ｂ−１）で算出し、上り光ファイバＦｕ−１の平均分散量Ｄｂを、以下の式（６ｂ−２）で算出する。
【０１２４】
Ｄａ＝Ｌａ×ｄfiber・・・（６ｂ−１）
Ｄｂ＝Ｌｂ×ｄfiber・・・（６ｂ−２）
次に分散量測定の変形例について説明する。上記では、光ファイバ伝送路に使用する光ファイバ種類の平均分散量を用いて、分散量を求めたが、変形例の場合は、光ファイバ伝送路に異なる波長を流して、波長の到達時間差にもとづいて、分散量を求めるものである。
【０１２５】
図１６、図１７は分散量測定を行う変形例の構成を示す図である。ＯＡＤＭ２０−３内のＯＳＣ部２−３は、出力波長の可変機能（波長可変ＬＤ（Laser Diode））を持つＥ／Ｏ１３ａを有する。
【０１２６】
Ｅ／Ｏ１３ａは、光通信に使用される波長範囲の最短波長より短い波長である波長λ１と、光通信に使用される波長範囲の最長波長より長い波長である波長λ２とを出力する。その他の構成は図１２と同じである。また、図１７の中継局の構成は図１３と同じである。
【０１２７】
図１８、図１９は分散量の測定動作を示すフローチャートである。
〔Ｓ５１〕光スイッチ１０ｉは、送信状態へスイッチングし、光スイッチ３０ａは、受信状態へスイッチングする。
【０１２８】
〔Ｓ５２〕Ｅ／Ｏ１３ａは、測定用パケットｐを含む、波長λ１のＯＳＣ信号ｄ２（ＯＳＣ信号ｄ２(λ1)とする）を出力し、ＯＳＣ信号ｄ２(λ1)は、カプラ１０ｈで２分岐される。
【０１２９】
〔Ｓ５３〕分岐された一方のＯＳＣ信号ｄ２(λ1)は、ＯＳＣカプラ２２ａ−１を介して下り光ファイバＦｄ−２を介して中継局へ送信される。
〔Ｓ５４〕分岐された他方のＯＳＣ信号ｄ２(λ1)は、光スイッチ１０ｉを介して上り光ファイバＦｕ−１を介して中継局へ送信される。
【０１３０】
〔Ｓ５５〕下り光ファイバＦｄ−２を介して伝送された波長λ１の測定用パケット（測定用パケットｐ１(λ1)とする）と、上り光ファイバＦｕ−１を介して伝送された波長λ１の測定用パケット（測定用パケットｐ２(λ1)とする）が、到着時間差検出部３０ｂに到着する。なお、到着時間差検出部３０ｂに到着するまでの処理の流れは、上述のステップＳ３５と同じなので説明は省略する。
【０１３１】
〔Ｓ５６〕到着時間差検出部３０ｂは、測定用パケットｐ１(λ1)、ｐ２(λ1)の到着時間差ΔＴλ1の検出を行う。
〔Ｓ５７〕Ｅ／Ｏ１３ａは、測定用パケットｐを含む、波長λ２のＯＳＣ信号ｄ２（ＯＳＣ信号ｄ２(λ2)とする）を出力し、ＯＳＣ信号ｄ２(λ2)は、カプラ１０ｈで２分岐される。
【０１３２】
〔Ｓ５８〕分岐された一方のＯＳＣ信号ｄ２(λ2)は、ＯＳＣカプラ２２ａ−１を介して下り光ファイバＦｄ−２を介して中継局へ送信される。
〔Ｓ５９〕分岐された他方のＯＳＣ信号ｄ２(λ2)は、光スイッチ１０ｉを介して上り光ファイバＦｕ−１を介して中継局へ送信される。
【０１３３】
〔Ｓ６０〕下り光ファイバＦｄ−２を介して伝送された波長λ２の測定用パケット（測定用パケットｐ１(λ2)とする）と、上り光ファイバＦｕ−１を介して伝送された波長λ２の測定用パケット（測定用パケットｐ２(λ2)とする）が、到着時間差検出部３０ｂに到着する。なお、到着時間差検出部３０ｂに到着するまでの処理の流れは、上述のステップＳ３５と同じなので説明は省略する。
【０１３４】
〔Ｓ６１〕到着時間差検出部３０ｂは、測定用パケットｐ１(λ2)、ｐ２(λ2)の到着時間差ΔＴλ2の検出を行う。
〔Ｓ６２〕到着時間差検出部３０ｂは、到着時間差ΔＴλ1と、到着時間差ΔＴλ2との差分ΔＴλを求める。
【０１３５】
〔Ｓ６３〕光スイッチ３０ａは、送信状態へスイッチングし、光スイッチ１０ｉは、受信状態へスイッチングする。
〔Ｓ６４〕中継部３０−２（制御部３５）は、ステップＳ６２の算出結果を、中継局で生成したＯＳＣ信号を用いて、上り光ファイバＦｕ−１を通じて端局のＯＡＤＭ２０−３へ通知する。
【０１３６】
〔Ｓ６５〕分散量Ｄfiberは、式（７ａ）のように、異なる波長の波長変化量ｄλと、異なる波長の到着遅延時間の変化量ｄＴλとの平均変化率（遅延時間の波長微分）で表せる。
【０１３７】
Ｄfiber（ps／nm）＝ｄＴλ／ｄλ・・・（７ａ）
したがって、測定制御部１ｄ−１は、波長λ１と波長λ２との波長差をΔλとした際に、下り光ファイバＦｄ−２および上り光ファイバＦｕ−１の分散量Ｄfiberを以下の式（７ｂ）で算出する。
【０１３８】
Ｄfiber（ps／nm）＝ΔＴλ／Δλ・・・（７ｂ）
なお、分散スロープＳfiberは、分散量の波長微分であるから、式（８）で算出できる。
【０１３９】
Ｓfiber（ps／nm2）＝Ｄfiber／Δλ・・・（８）
上記では、Ｅ／Ｏ１３ａに波長可変機能を持たせたが、他の構成例として、波長λ１を発振する固定波長発振のＥ／Ｏと、波長λ２を発振する固定波長発振のＥ／Ｏとを持たせて、相互に出力を切り替える制御を行う構成としてもよい。
【０１４０】
（付記１）  対向装置と光ファイバ伝送路で接続された光ファイバ伝送路測定装置において、
前記光ファイバ伝送路の測定に使用する測定用パケットを生成して、前記光ファイバ伝送路を介して前記対向装置へ送信する送信部と、
前記光ファイバ伝送路を介して前記対向装置から折り返し戻ってきた前記測定用パケットを検出する受信部と、
前記測定用パケットの生成から検出するまでに要する時間であるパケット伝送時間を計測する計測部と、
前記パケット伝送時間にもとづいて、少なくとも前記光ファイバ伝送路の長さに関する、前記光ファイバ伝送路の測定制御を行う測定部と、
を有することを特徴とする光ファイバ伝送路測定装置。
【０１４１】
（付記２）  前記送信部は、
前記測定用パケットを生成する測定用パケット生成部と、
監視制御信号に前記測定用パケットを挿入してパケット挿入信号を生成する挿入部と、
前記パケット挿入信号の電気／光変換を行って、光監視制御信号を生成する電気／光変換部と、
光主信号に前記光監視制御信号を多重化して光多重化信号を生成し、下り光ファイバを介して、前記対向装置へ送信する合波部と、
を有し、
前記受信部は、
上り光ファイバを介して、前記対向装置から送信された前記光多重化信号を受信して、前記光主信号と前記光監視制御信号とを分波する分波部と、
前記光監視制御信号の光／電気変換を行って、前記パケット挿入信号を再生する光／電気変換部と、
再生した前記パケット挿入信号から、前記対向装置から折り返し戻ってきた前記測定用パケットを検出する測定用パケット検出部と、
を有することを特徴とする付記１記載の光ファイバ伝送路測定装置。
【０１４２】
（付記３）  前記上り光ファイバを通じて伝送される前記光多重化信号の分散補償を行う分散補償ファイバをさらに有し、
前記測定部には、
前記測定用パケットを生成してから前記下り光ファイバへ出力するまでに要する処理時間と、前記上り光ファイバを流れてきた前記測定用パケットを受信してから前記測定用パケットを検出するまでに要する処理時間と、の総和であるパケット処理時間と、
前記対向装置で前記測定用パケットが受信されて折り返し出力されるまでに要する時間である折り返し時間と、
前記分散補償ファイバの長さ情報とが記憶されており、
前記パケット伝送時間をＴtotal、前記パケット処理時間をＴ１、前記折り返し時間をＴ２、前記光ファイバ伝送路中の光速度をＶとした際に、
前記分散補償ファイバが前記分波部の出力段に配置して、前記測定用パケットが前記分散補償ファイバを通過しない場合は、前記下り光ファイバおよび前記上り光ファイバの両方の長さである光ファイバ往復長Ｌfiberを、
Ｌfiber＝（Ｔtotal−（Ｔ１＋Ｔ２））×Ｖ
で算出し、
前記分散補償ファイバが前記分波部の入力段に配置して、前記測定用パケットが前記分散補償ファイバを通過する場合は、前記長さ情報をＬdとした際に、前記下り光ファイバおよび前記上り光ファイバの両方の長さである光ファイバ往復長Ｌfiberを、
Ｌfiber＝（Ｔtotal−（Ｔ１＋Ｔ２））×Ｖ−Ｌd
で算出することを特徴とする請求項２記載の光ファイバ伝送路測定装置。
【０１４３】
（付記４）  光ファイバ伝送路の測定を行う光ファイバ伝送路測定システムにおいて、
測定装置と対向装置とが前記光伝送路で接続し、
前記測定装置は、
前記光ファイバ伝送路の測定に使用する測定用パケットを生成して、前記光ファイバ伝送路を介して前記対向装置へ送信する送信部と、
前記光ファイバ伝送路を介して前記対向装置から折り返し戻ってきた前記測定用パケットを検出する受信部と、
前記測定用パケットの生成から検出するまでに要する時間であるパケット伝送時間を計測する計測部と、
前記パケット伝送時間にもとづいて、少なくとも前記光ファイバ伝送路の長さに関する、前記光ファイバ伝送路の測定制御を行う測定部と、
を有し、
前記対向装置は、前記測定用パケットを前記測定装置へ折り返し出力する折り返し部を有する、
ことを特徴とする光ファイバ伝送路測定システム。
【０１４４】
（付記５）  前記送信部は、
前記測定用パケットを生成する測定用パケット生成部と、
監視制御信号に前記測定用パケットを挿入してパケット挿入信号を生成する挿入部と、
前記パケット挿入信号の電気／光変換を行って、光監視制御信号を生成する電気／光変換部と、
光主信号に前記光監視制御信号を多重化して光多重化信号を生成し、下り光ファイバを介して、前記対向装置へ送信する合波部と、
を有し、
前記受信部は、
上り光ファイバを介して、前記対向装置から送信された前記光多重化信号を受信して、前記光主信号と前記光監視制御信号とを分波する分波部と、
前記光監視制御信号の光／電気変換を行って、前記パケット挿入信号を再生する光／電気変換部と、
再生した前記パケット挿入信号から、前記対向装置から折り返し戻ってきた前記測定用パケットを検出する測定用パケット検出部と、
を有することを特徴とする付記４記載の光ファイバ伝送路測定システム。
【０１４５】
（付記６）  前記測定装置は、前記上り光ファイバを通じて伝送される前記光多重化信号の分散補償を行う分散補償ファイバをさらに有し、
前記測定部は、
前記測定用パケットを生成してから前記下り光ファイバへ出力するまでに要する処理時間と、前記上り光ファイバを流れてきた前記測定用パケットを受信してから前記測定用パケットを検出するまでに要する処理時間と、の総和であるパケット処理時間をあらかじめ登録し、
前記対向装置で前記測定用パケットが受信されて折り返し出力されるまでに要する時間である折り返し時間をあらかじめ登録し、
前記分散補償ファイバの長さ情報をあらかじめ登録し、
前記パケット伝送時間をＴtotal、前記パケット処理時間をＴ１、前記折り返し時間をＴ２、前記光ファイバ伝送路中の光速度をＶとした際に、
前記分散補償ファイバが前記分波部の出力段に配置して、前記測定用パケットが前記分散補償ファイバを通過しない場合は、前記下り光ファイバおよび前記上り光ファイバの両方の長さである光ファイバ往復長Ｌfiberを、
Ｌfiber＝（Ｔtotal−（Ｔ１＋Ｔ２））×Ｖ
で算出し、
前記分散補償ファイバが前記分波部の入力段に配置して、前記測定用パケットが前記分散補償ファイバを通過する場合は、前記長さ情報をＬdとした際に、前記下り光ファイバおよび前記上り光ファイバの両方の長さである光ファイバ往復長Ｌfiberを、
Ｌfiber＝（Ｔtotal−（Ｔ１＋Ｔ２））×Ｖ−Ｌd
で算出することを特徴とする付記５記載の光ファイバ伝送路測定システム。
【０１４６】
（付記７）  前記測定装置は、前記電気／光変換部で生成された前記光監視制御信号を２分岐する測定側カプラと、前記上り光ファイバの入力端に配置する測定側光スイッチとをさらに有し、
前記対向装置は、前記上り光ファイバの出力端に配置する対向側光スイッチと、前記下り光ファイバを介して前記対向装置へ流れてきた第１の測定用パケットおよび前記上り光ファイバを介して流れてきた第２の測定用パケットの到着時間差を検出する到着時間差検出部とをさらに有し、
前記測定側光スイッチが前記対向装置から送信された信号を受信する受信状態にスイッチングし、かつ前記対向側光スイッチが前記測定装置へ信号を送信する送信状態にスイッチングした、通常運用時のスイッチ状態の場合に、
前記測定部は、前記光ファイバ往復長Ｌfiberを求め、
前記測定側光スイッチが前記対向装置へ信号を送信する送信状態にスイッチングし、かつ前記対向側光スイッチが前記測定装置から送信された信号を受信する受信状態にスイッチングした、測定用パケット到着時間差検出時のスイッチ状態の場合に、
前記測定装置は、前記測定側カプラで分岐した一方の第１の光監視制御信号を、前記下り光ファイバを通じて前記対向装置へ送信し、前記測定側カプラで分岐した他方の第２の光監視制御信号を、前記測定側光スイッチを介して前記上り光ファイバを通じて前記対向装置へ送信し、
前記到着時間差検出部は、前記第１の光監視制御信号に含まれる前記第１の測定用パケットと、前記第２の光監視制御信号に含まれる前記第２の測定用パケットとの到着時間差ΔＴと、先着した光ファイバルートとを検出し、
前記測定部は、前記上り光ファイバと前記下り光ファイバとの距離差をΔＬとした際に、前記下り光ファイバの長さＬａおよび前記上り光ファイバの長さＬｂを、
ΔＬ＝ΔＴ×Ｖ＝Ｌａ−Ｌｂ（Ｌａ＞Ｌｂ）＝Ｌｂ−Ｌａ（Ｌｂ＞Ｌａ）
Ｌfiber＝Ｌａ＋Ｌｂ
で算出することを特徴とする付記６記載の光ファイバ伝送路測定システム。
【０１４７】
（付記８）  前記測定部は、
前記上り光ファイバと前記下り光ファイバの光ファイバ種別毎の平均分散量をあらかじめ登録しておき、
前記平均分散量をｄfiberとした際に、前記上り光ファイバと前記下り光ファイバそれぞれの分散量Ｄを、
Ｄ＝Ｌfiber×ｄfiber／２
で算出し、
または、前記下り光ファイバの分散量Ｄａおよび前記上り光ファイバの分散量Ｄｂを
Ｄａ＝Ｌａ×ｄfiber、Ｄｂ＝Ｌｂ×ｄfiber
で算出することを特徴とする付記７記載の光ファイバ伝送路測定システム。
【０１４８】
（付記９）  前記電気／光変換部は、出力波長の可変機能を有し、光通信に使用される波長範囲の最短波長より短い波長である波長λ１と、前記波長範囲の最長波長より長い波長である波長λ２とを出力し、
前記測定側光スイッチが前記対向装置へ信号を送信する送信状態にスイッチングし、かつ前記対向側光スイッチが前記測定装置から送信された信号を受信する受信状態にスイッチングした、測定用パケット到着時間差検出時のスイッチ状態の場合に、
前記測定装置は、波長λ１の前記第１の光監視制御信号を、前記下り光ファイバを通じて前記対向装置へ送信し、波長λ１の前記第２の光監視制御信号を、前記上り光ファイバを通じて前記対向装置へ送信し、
前記到着時間差検出部は、前記第１の光監視制御信号に含まれる、波長λ１の前記第１の測定用パケットと、前記第２の光監視制御信号に含まれる、波長λ１の前記第２の測定用パケットの到着時間差ΔＴλ1を検出し、
前記測定装置は、波長λ２の前記第１の光監視制御信号を、前記下り光ファイバを通じて前記対向装置へ送信し、波長λ２の前記第２の光監視制御信号を、前記上り光ファイバを通じて前記対向装置へ送信し、
前記到着時間差検出部は、前記第１の光監視制御信号に含まれる、波長λ２の前記第１の測定用パケットと、前記第２の光監視制御信号に含まれる、波長λ２の前記第２の測定用パケットの到着時間差ΔＴλ2を検出して、前記到着時間差ΔＴλ1と前記到着時間差ΔＴλ2との差分ΔＴλを算出し、
前記測定部は、波長λ１と波長λ２との波長差をΔλとした際に、前記下り光ファイバおよび前記上り光ファイバの分散量Ｄfiberを
Ｄfiber＝ΔＴλ／Δλ
で算出することを特徴とする付記７記載の光ファイバ伝送路測定システム。
【図面の簡単な説明】
【０１４９】
【図１】光ファイバ伝送路測定システムの構成例を示す図である。
【図２】ＷＤＭネットワークを示す図である。
【図３】ＯＡＤＭの内部構成を示す図である。
【図４】ＯＡＤＭの内部構成を示す図である。
【図５】ＯＡＤＭに測定装置の機能を適用した場合の構成を示す図である。
【図６】中継局に対向装置の機能を適用した場合の構成を示す図である。
【図７】光ファイバ長の測定前の準備動作を示すフローチャートである。
【図８】パケット伝送時間を計測する際の動作を示すフローチャートである。
【図９】分散補償パラメータを不要とする光ファイバ長測定の動作を示すフローチャートである。
【図１０】分散補償パラメータを使用する光ファイバ長測定の動作を示すフローチャートである。
【図１１】ＳＯＮＥＴフレームのフォーマットを示す図である。
【図１２】片道分の光ファイバ長測定を行う変形例の構成を示す図である。
【図１３】片道分の光ファイバ長測定を行う変形例の構成を示す図である。
【図１４】片道分の光ファイバ長測定の動作を示すフローチャートである。
【図１５】分散量の測定動作を示すフローチャートである。
【図１６】分散量測定を行う変形例の構成を示す図である。
【図１７】分散量測定を行う変形例の構成を示す図である。
【図１８】分散量の測定動作を示すフローチャートである。
【図１９】分散量の測定動作を示すフローチャートである。
【図２０】ＯＴＤＲを利用した測定系を示す図である。
【図２１】システムの運用停止が必要となることを説明するための図である。
【符号の説明】
【０１５０】
１  光ファイバ伝送路測定システム
１ａ  送信部
１ｂ  受信部
１ｃ  計測部
１ｄ  測定部
３  対向装置
３ａ  折り返し部
１０  測定装置
１１  測定用パケット生成部
１２  挿入部
１３  Ｅ／Ｏ
１４  合波部
１５  分波部
１６  Ｏ／Ｅ
１７  測定用パケット検出部
Ｆｄ  下り光ファイバ
Ｆｕ  上り光ファイバ
【図１】
2010101670.tif 000003
【図２】
2010101670.tif 000004
【図３】
2010101670.tif 000005
【図４】
2010101670.tif 000006
【図５】
2010101670.tif 000007
【図６】
2010101670.tif 000008
【図７】
2010101670.tif 000009
【図８】
2010101670.tif 000010
【図９】
2010101670.tif 000011
【図１０】
2010101670.tif 000012
【図１１】
2010101670.tif 000013
【図１２】
2010101670.tif 000014
【図１３】
2010101670.tif 000015
【図１４】
2010101670.tif 000016
【図１５】
2010101670.tif 000017
【図１６】
2010101670.tif 000018
【図１７】
2010101670.tif 000019
【図１８】
2010101670.tif 000020
【図１９】
2010101670.tif 000021
【図２０】
2010101670.tif 000022
【図２１】
2010101670.tif 000023